(57)【要約】【課題】設置面に取付具がない場合でも、取り付けを容易に行うことができる照明装置を提供する。【解決手段】照明装置Ｘは、設置面に取り付けられる取付ユニット６と、取付ユニット６に着脱可能に装着される器具本体１とを備え、取付ユニット６は、設置面に取り付けられる取付板７と、設置面側から小径部と大径部とをこの順で有し且つ取付板６に設けられる係止具８とを備え、器具本体１は、大径部の通過を許容する大孔部と、小径部のみの通過を許容する小孔部とが連続してなる孔部３２４を有する被取付部３２を有し、係止具８の大径部は被取付部３２の孔部３２４の大孔部から挿入して小孔部の周囲に係止することで、器具本体１が取付ユニット６に装着される。【選択図】図２
2020187848.tif 000002
【特許請求の範囲】
【請求項１】
設置面に取り付けられる取付ユニットと、
前記取付ユニットに着脱可能に装着される器具本体と
を備え、
前記取付ユニットは、
前記設置面に取り付けられる取付板と、
前記設置面側から小径部と大径部とをこの順で有し且つ前記取付板に設けられる係止具と
を備え、
前記器具本体は、前記大径部の通過を許容する大孔部と、前記小径部のみの通過を許容する小孔部とが連続してなる孔部を有する被取付具を有し、
前記係止具の前記大径部は前記被取付具の前記孔部の前記大孔部から挿入して前記小孔部の周囲に係止することで、前記器具本体が前記取付ユニットに装着される
照明装置。
【請求項２】
前記係止具は、少なくとも頭部とねじ部とを有する雄ねじと、前記ねじ部に螺合する雌ねじとからなり、
前記小径部は、前記雄ねじの前記頭部と前記雌ねじとの間に位置するねじ部により構成され、
前記大径部は前記雌ねじにより構成されている
請求項１に記載の照明装置。
【請求項３】
前記係止具及び前記取付板は金属材料により構成され、
前記取付板は、前記ねじ部が挿通し且つ前記頭部を前記設置面との間に収容する収容部を有し、
前記頭部は、絶縁部材を介して前記取付板に接触しない状態で収容されている
請求項２に記載の照明装置。
【請求項４】
前記取付ユニットは、前記取付板における前記設置面側を覆う絶縁シートを有する
請求項１〜３の何れか１項に記載の照明装置。
【請求項５】
前記取付板と前記絶縁シートは、前記器具本体への電力供給用ケーブルが挿通するための貫通孔を有し、
前記被取付具は、前記取付板に接触しない状態で前記貫通孔に向かって突出し且つ前記電力供給用ケーブルが挿通する貫通孔を有する突出部分を有する
請求項４に記載の照明装置。
【発明の詳細な説明】
【技術分野】
【０００１】
本発明は、設置面に取付板を介して取り付けられる照明装置に関する。
【背景技術】
【０００２】
設置面である天井等に設置される照明装置として、設置面に予め設けられている引掛けシーリングとアダプタを利用するものがある（例えば特許文献１）。
【先行技術文献】
【特許文献】
【０００３】
【特許文献１】特許第５７９０９３２号公報
【発明の概要】
【発明が解決しようとする課題】
【０００４】
上記照明装置では、引掛けシーリング等の取付具が設置面に設けられていない場合には、設置できないという課題がある。なお、アダプタが組み込まれた照明装置も提案されており、この場合も引掛けシーリングが設けられていない場合設置できない。
本発明は、設置面に取付具がない場合に、取り付けを容易に行うことができる照明装置を提供することを目的とする。
【課題を解決するための手段】
【０００５】
本発明に係る照明装置は、設置面に取り付けられる取付ユニットと、前記取付ユニットに着脱可能に装着される器具本体とを備え、前記取付ユニットは、前記設置面に取り付けられる取付板と、前記設置面側から小径部と大径部とをこの順で有し且つ前記取付板に設けられる係止具とを備え、前記器具本体は、前記大径部の通過を許容する大孔部と、前記小径部のみの通過を許容する小孔部とが連続してなる孔部を有する被取付具を有し、前記係止具の前記大径部は前記被取付具の前記孔部の前記大孔部から挿入して前記小孔部の周囲に係止することで、前記器具本体が前記取付ユニットに装着される。
【発明の効果】
【０００６】
上記構成によれば、設置面に取付具がない場合でも、取り付けることができる。
【図面の簡単な説明】
【０００７】
【図１】照明装置を裏側から見た斜視図である。
【図２】取付ユニットから器具本体を外した状態を示す斜視図であり、（ａ）は表側から見た図であり、（ｂ）は裏側から見た図である。
【図３】器具本体の断面図である。
【図４】器具本体から外カバーを外した状態を示す斜視図であり、（ａ）は表側から見た図であり、（ｂ）は裏側から見た図である。
【図５】ベースから内カバーと電源カバーとを分離させた状態を表側から見た斜視図である。
【図６】ベースから内カバーと電源カバーとを分離させた状態を裏側から見た斜視図である。
【図７】ベースから光源ユニットと電源基板とを分離させた状態を表側から見た斜視図である。
【図８】ベースから光源ユニットと電源基板とを分離させた状態を裏側から見た斜視図である。
【図９】外カバーの分解状態を示す斜視図であり、（ａ）は表側から見た図であり、（ｂ）は裏側から見た図である。
【図１０】取付ユニットの分解状態を表側から見た斜視図である。
【図１１】取付ユニットの分解状態を裏側から見た斜視図である。
【発明を実施するための形態】
【０００８】
＜概要＞
実施形態の一態様に係る照明装置は、設置面に取り付けられる取付ユニットと、前記取付ユニットに着脱可能に装着される器具本体とを備え、前記取付ユニットは、前記設置面に取り付けられる取付板と、前記設置面側から小径部と大径部とをこの順で有し且つ前記取付板に設けられる係止具とを備え、前記器具本体は、前記大径部の通過を許容する大孔部と、前記小径部のみの通過を許容する小孔部とが連続してなる孔部を有する被取付具を有し、前記係止具の前記大径部は前記被取付具の前記孔部の前記大孔部から挿入して前記小孔部の周囲に係止することで、前記器具本体が前記取付ユニットに装着される。
【０００９】
実施形態の別態様に係る照明装置において、前記係止具は、少なくとも頭部とねじ部とを有する雄ねじと、前記ねじ部に螺合する雌ねじとからなり、前記小径部は、前記雄ねじの前記頭部と前記雌ねじとの間に位置するねじ部により構成され、前記大径部は前記雌ねじにより構成されている。これにより、容易に係止具を設けることができる。
実施形態の別態様に係る照明装置において、前記係止具及び前記取付板は金属材料により構成され、前記取付板は、前記ねじ部が挿通し且つ前記頭部を前記設置面との間に収容する収容部を有し、前記頭部は、絶縁部材を介して前記取付板に接触しない状態で収容されている。これにより、係止具と取付板との絶縁性を高めることができる。
実施形態の別態様に係る照明装置において、前記取付ユニットは、前記取付板における前記設置面側を覆う絶縁シートを有する。これにより、設置面と係止具との絶縁性を高めることができる。
【００１０】
実施形態の別態様に係る照明装置において、前記取付板と前記絶縁シートは、前記器具本体への電力供給用ケーブルが挿通するための貫通孔を有し、前記被取付具は、前記取付板に接触しない状態で前記貫通孔に向かって突出し且つ前記電力供給用ケーブルが挿通する貫通孔を有する突出部分を有する。これにより、電力供給用ケーブルが取付板と接触することを無くすことができる。
【００１１】
＜第１の実施形態＞
１．概要
照明装置Ｘは、図１及び図２に示すように、光源ユニット（２）を有する器具本体１と、天井、壁等の設置面に器具本体１を取り付けるための取付ユニット６とを有する。つまり、照明装置Ｘは、図２に示すように、設置面に固定される取付ユニット６と、取付ユニット６に着脱自在に装着される器具本体１とを別体で備える。
ここでの照明装置Ｘは、光の出射方向、つまり、被照射面側から見ると円形状をしている。なお、光の出射方向を表側とし、設置面側を裏側とする。
以下、器具本体１について説明した後、取付ユニット６について説明する。
【００１２】
２．器具本体
器具本体１は、図７又は図８に示すように、少なくとも、複数個のＬＥＤ素子２１（図７参照）を光源として備える光源ユニット２と、光源ユニット２を搭載するベース３とを有し、器具本体１側を取付ユニット６に装着するための被取付部３２がベース３に設けられている。
なお、被取付部３２を有するベース３が本発明の「被取付具」の一例に相当する。
ここでの器具本体１は、光源ユニット２及びベース３以外に、電源ユニット４（図４の（ｂ）参照）、図２に示すカバー体５を有する。カバー体５は、図４の（ａ）に示すように、光源ユニット２側を覆う内カバー５１と、光源ユニット２を内カバー５１と一緒に覆う外カバー５３とを有する。
なお、光源ユニット２、ベース３、電源ユニット４及び内カバー５１は、図４に示すように、一体に組み上げられ、一体化したものを装置本体１０とする。
以下、各部について説明する。
【００１３】
（１）光源ユニット
主に、図７及び図８を用いて説明する。
光源ユニット２は、複数個のＬＥＤ素子２１を実装するための複数（例えば３）枚の光源基板２３を備え、電源ユニット４と電気的に接続するためのコネクタ２５（図７参照）を光源基板２３に有する。複数個のＬＥＤ素子２１は、調色可能とするために光色の異なる複数の種類がある。
光源基板２３は、全体で環状（例えば円環）を構成するように、円弧状、「Ｖ」字状、「Ｌ」字状をしている。周方向に隣接する２枚の光源基板２３はジャンパー線２７により電気的に接続されている（図７参照）。なお、ジャンパー線２７は、隣接する２枚の光源基板２３の周方向の対向する端部２３ａ同士を接続し、表側にアーチ状に湾曲する状態で設けられている。
【００１４】
（２）ベース
主に図７及び図８を用いて説明する。
ベース３は、板状をし、光源ユニット２及び電源ユニット４を搭載する環状部３１と、環状部３１の内側に設けられた被取付部３２と、環状部３１の外側に設けられた外周部３３とを有する。なお、環状部３１と外周部３３は金属材料により、被取付部３２は樹脂材料によりそれぞれ構成されている。ここでは、環状部３１、外周部３３及び被取付部３２は、例えばインサート成形等で一体成形されている。なお、環状部３１と外周部３３とをベース本体３０と言うこともある。
【００１５】
（２−１）環状部
環状部３１は、平坦状をし、ここでは、表面に光源ユニット２を、裏面に電源ユニット４をそれぞれ搭載する。環状部３１は、光源ユニット２の周方向に隣接する２枚の光源基板２３の対向する端部に対応する部位に、裏側に凹入する凹入部３４を複数（例えば３）個有している。凹入部３４は補強機能も有する。
凹入部３４は径方向に長い長円状をしている。径方向は、隣接する２枚の光源基板２３の周方向の端部が対向する方向と一致している。凹入部３４の１つには電源ユニット４のアース線４４Ｂが接続される。凹入部３４は、隣接する２枚の光源基板２３を接続するジャンパー線２７と凹入部３４の底部分との沿面距離が２．５ｍｍ以上になるように、設定されている。
なお、アース線４４Ｂの接続は、アース線４４Ｂに接続されたねじ１０１が環状部３１のエビナット（ブラインドナット）３６に螺合することで、容易且つ確実に行われる。ねじ１０１はアース線４４Ｂに接続された圧着端子１０３を挿通する。ここでは、ジャンパー線２７と凹入部３４内のエビナット３６との沿面距離が２．５ｍｍ以上となるように、設定されている。
【００１６】
（２−２）被取付部
被取付部３２は、環状部３１の内周縁から裏側に有蓋筒状をし、蓋部分３２１と筒部分３２２と外鍔部分３２３（図７参照）とを有し、外鍔部分３２３が環状部３１の内周縁部に取り付けられている。被取付部３２は、取付ユニット６との装着を容易にするために透明性の高い樹脂材料により構成されている。
【００１７】
被取付部３２は、図８に示すように、１個又は複数個（例えば２個）の孔部３２４を蓋部分３２１に有する。孔部３２４は、取付ユニット６の係止具８の雌ねじ（大径部）８３（図１０参照）の通過を許容する大孔部３２４ａと、係止具８のねじ部分（小径部）８１３のみの通過を許容する小孔部３２４ｂとが連続してなる形状をしている。なお、係止具８の雌ねじ（大径部）８３が被取付部３２の孔部３２４の大孔部３２４ａから挿入して小孔部３２４ｂの周囲（蓋部分である）に係止させて、雌ねじ８３を締めることで、器具本体１が取付ユニット６に装着される。
大孔部３２４ａは係止具８の雌ねじ（大径部）８３に対応した形状（例えば円形状）をし、小孔部３２４ｂは、２つの大孔部３２４ａの中心を結ぶ仮想線分の中点を回転軸として、器具本体１を取付板７に対して回転させた際の回転方向に延伸する形状をしている。
小孔部３２４ｂの回転方向の長さは、係止具８の雌ねじ（大径部）８３の直径と略等しい又は直径以上である。これにより、器具本体１を取付ユニット６に確実に取り付けできる。なお、回転軸は、ここでは器具本体１（ベース３）の中心を通る。
【００１８】
被取付部３２は、裏側に突出する突出部分３２５を蓋部分３２１に有する。２つの大孔部３２４ａの中心間に位置する回転軸は突出部分３２５の内側に位置する。突出部分３２５の内側は、電源ユニット４に電力を供給するための電力供給用ケーブル（図示省略）が通過するための空間となっている。なお、電力供給用ケーブルは商用電源側に接続されている。
突出部分３２５は、取付板７に接触しない状態で、取付板７の貫通孔７１１に向かって筒状に突出する。これにより、電力供給用ケーブルとベース３との間の絶縁性を高めることができる。なお、突出部分３２５は、有蓋筒状に突出して、その蓋部分にケーブル用の貫通孔を有してもよい。
【００１９】
被取付部３２は、裏側から見ると長円状又は長円状に似た形状をしている。被取付部３２は、裏側から見たときの円弧状をした部分に対応する蓋部分３２１と筒部分３２２との連結部分に、後述の電源カバー４８の開口４８０と嵌合する段差部分３２６を有している。これにより、電源カバー４８がベース３に対して回転規制される。
被取付部３２は、電源ユニット４と光源ユニット２とを電気的に接続する接続ケーブル４４Ａ用の貫通孔３２７（図８参照）を、筒部分３２２と蓋部分３２１とに跨る状態で有する。なお、貫通孔３２７は筒部分に有してもよい。
被取付部３２は、電源カバー４８を装着するための装着機構を有する。ここでは、電源カバー４８の係止片４８５（図６参照）が係止する係止孔３２８（図８参照）を有する。
被取付部３２は、電力供給用ケーブルを接続するための接続端子台４３を被取付部３２に固定するための固定機構を有する。ここでの固定は、ねじを利用しており、ねじ孔３２９（図７参照）を被取付部３２の蓋部分３２１に有している。
【００２０】
（２−３）外周部
外周部３３は、横断面形状が裏側に張り出す「Ｕ」字状（図３参照）の回転体状をし、内周縁が環状部３１の外周縁に接続されている。「Ｕ」字により外周部３３に溝部分３３１が形成され（図７参照）、溝部分３３１には内カバー５１の外カバー用装着部５１５が表側から嵌る。
【００２１】
（３）電源ユニット
主に、図５〜図８を用いて説明する。
電源ユニット４は、商用電源から受電して光源ユニット２を点灯させる点灯電力を生成する。電源ユニット４は、図８に示すように、点灯電力を生成するための回路を構成する複数個の電子部品４１（図８では、一部の電子部品のみ示されている）と、複数個の電子部品４１を所定の接続形態で実装する電源基板４２とを少なくとも有し、ベース３の環状部３１の裏面に固定される。ここでの電源基板４２は、環状部３１の形状に合わせた形状、例えば「Ｌ」字状をしている。
【００２２】
電源ユニット４は、図８に示すように、ベース３の被取付部３２の表側に設けられた接続端子台４３と接続するためのコネクタ４５を電源基板４２に備える。なお、接続は接続ケーブル４４Ａを介して行われる。
電源ユニット４は、図８に示すように、光源ユニット２のコネクタ２５（図７参照）と接続するためのコネクタ４６を電源基板４２に有する。なお、コネクタ４５、４６は、例えば雌コネクタであり、両端に雄コネクタが接続されたリード線９２を介して接続される。なお、リード線９２はベース３の貫通孔３１５（図７参照）を介して表側に導出される。
電源ユニット４は、電源基板４２とベース３の金属製の環状部３１の裏面との間の絶縁性を確保するための絶縁シート４７を備える。絶縁シート４７は、電源基板４２をベース３側に固定するための固定具用の貫通孔４７１や切り欠きを１個又は複数個有する。
【００２３】
電源ユニット４は、図５及び図６に示すように、電子部品４１等が実装されている電源基板４２を裏側から覆う電源カバー４８を備えている。
電源カバー４８は、電源基板４２やベース３の環状部３１に対向し且つ中央に開口４８０を有する対向部４８１と、対向部４８１の外周縁から表側に延伸する外延伸部４８２とを有する。
【００２４】
対向部４８１の中央の開口４８０は、ベース３の被取付部３２の段差部分３２６（図８参照）と嵌合する。つまり、開口４８０は、裏側から見ると、被取付部３２の蓋部分３２１の形状に一致している。ここでは長円状をしている。
対向部４８１の開口４８０の周辺は、対向部４８１における外周側に位置する面４８１ｂよりも表側に凹入する凹入部分４８３となっている。
凹入部分４８３は、取付板７の円形部分７１３（図１０又は図１１参照）よりも大きい円形に近い形状をしている。具体的には、長円形状の開口４８０を構成する一対の円弧部分の開口縁の外側に位置する部分が取付板７の円形部分７１３よりも大きい第１の半径の円弧状をし、平行部分の開口縁の外側に位置する部分が第１の半径よりも大きな第２の半径の円弧状をしている。
凹入部分４８３において、第１の半径の円弧と開口４８０との間の領域を第１領域４８３ａ，４８３ｂとし、第２の半径の円弧と開口４８０との間の領域を第２領域４８３ｃ，４８３ｄとする。第１領域４８３ａ，４８３ｂと第２領域４８３ｃ，４８３ｄは、周方向に交互に存在する。
【００２５】
対向部４８１は、凹入部分４８３に、図６に示すように、裏側に立設する立設部分４８４ａ，４８４ｂ，４８４ｃ，４８４ｄを有する。立設部分４８４ａ，４８４ｂは一方の第２領域４８３ｄの周方向の端部にあり、立設部分４８４ｃ，４８４ｄは他方の第２領域４８３ｃの周方向の両端にある。
立設部分４８４ａ，４８４ｂ，４８４ｃ，４８４ｄは、器具本体１を取付ユニット６に装着する際に、取付ユニット６の取付板７のリブ部７３の円形側部分７３１（図１１参照）に径方向の外側から当接又は近接する。つまり、立設部分４８４ａ，４８４ｂ，４８４ｃ，４８４ｄは、取付ユニット６に器具本体１を装着する際のガイド部として機能する。
立設部分４８４ａ，４８４ｂ，４８４ｃ，４８４ｄは、周方向に間隔をおいて設けられている。立設部分４８４ａと立設部分４８４ｂとの間、立設部分４８４ｃと立設部分４８４ｄとの間には、取付板７の延伸部分７１５，７１７が位置する。立設部分４８４ａと立設部分４８４ｂとの間の角度、立設部分４８４ｃと立設部分４８４ｄとの間の角度は、器具本体１を取付ユニット６に装着する際の器具本体１の回転角度より若干大きく設定されている。これにより、器具本体１を取付ユニット６にスムーズに装着することができる。
立設部分４８４ａ，４８４ｂ，４８４ｃ，４８４ｄの裏側端は、図１に示すように、取付板７の裏面と面一となっている。これにより、立設部分４８４ａ，４８４ｂ，４８４ｃ，４８４ｄが設置面と干渉することはない。
【００２６】
外延伸部４８２は、対向部４８１の円弧部分４８１ａに沿って延伸する円弧部分４８２ａを有する。円弧部分４８２ａは、表側に「Ｖ」字状に延伸して、延伸先端部分がベース３の外周部３３の裏面に当接する。
【００２７】
電源カバー４８は、対向部４８１と外延伸部４８２との連結部分又はその周辺に、電子部品４１、電源基板４２等の熱を放出させるために電源カバー４８の内外を連通させる貫通孔４８６を複数有する。
電源カバー４８はベース３への固定部を有している。具体的には、電源カバー４８は、図５に示すように、凹入部分４８３から表側に延伸して被取付部３２の係止孔３２８に係止する係止片４８５と、対向部４８１から表側に有底筒状に延伸するボス４８７ａの底部に形成された貫通孔４８７ｂとを有する。なお、貫通孔４８７ｂには、ベース３のねじ孔に螺合するねじ（図示省略）が挿通する。
【００２８】
（４）カバー体
カバー体５は、図５に示すように光源ユニット２を表側から覆い且つベース３に装着される内カバー５１と、図４に示すようにベース３を表側から覆い且つ内カバー５１に装着される外カバー５３とを有する。
以下、各カバーについて説明する。
【００２９】
（４−１）内カバー
内カバー５１は透光性の樹脂材料により構成され、ベース３の外周部３３にねじ（図示省略）により取り付けられる。
内カバー５１は、図５に示すように、表側から見ると円環状をし且つ表側に膨出する円環膨出部５１１と、円環膨出部５１１の内周縁から裏側に延伸する内側裏鍔部５１２と、円環膨出部５１１の外周縁から延伸する外側鍔部５１３とを有する。
内カバー５１は、同じ構成の２つの部材から構成され、円環膨出部５１１の周方向の両端から裏側に延伸する端側裏延伸部５１４を有し、周方向に隣接する２個の端側裏延伸部５１４が互いに当接する状態で、ベース３に取り付けられる。なお、端側裏延伸部５１４は光源ユニット２の光源基板２３に近接又は当接して、光源ユニット２を表側から支持する。
内カバー５１がベース３に取り付けられた際、図３に示すように、内側裏鍔部５１２はベース３の環状部３１の内周縁部と当接し、円環膨出部５１１の外周部分５１１ａと外側鍔部５１３はベース３の外周部分３１３の溝部分３３１内に位置する。この状態では、外側鍔部５１３の裏側端は溝部分３３１の底に近接又は当接する。
【００３０】
内カバー５１は外カバー５３用の外カバー用装着部５１５を複数個（例えば４個）有している。ここでは、外カバー５３をベース３の中心を通る軸（中心軸ともいう）回りの一方向に回転させることで、外カバー用装着部５１５と外カバー５３の内カバー用装着部５５３（図９参照）とが係合する。
外カバー用装着部５１５は、図５及び図６に示すように、円環膨出部５１１の外周縁から径方向の外方に張り出す張出部分５１６と、張出部分５１６における周方向の一方向の端部に裏側に立設し且つ外側鍔部５１３と連結する立設部分５１７とを有する。これにより、外カバー５３の内カバー５１への装着時の一方向への回転が規制される。
【００３１】
（４−２）外カバー
主に図９を用いて説明する。
外カバー５３は、透光性の樹脂材料により構成され、内カバー５１（図４参照）に装着される裏カバー５５と、裏カバー５５に取り付けられる表カバー５７とを有する。裏カバー５５及び表カバー５７は、拡散粒子等を含んだ、所謂、乳白色カバーである。
【００３２】
裏カバー５５は、表側拡がりの環状（ここでは、円環状である）の裏カバー本体５５１と、裏カバー本体５５１の内側の開口周辺に設けられた内カバー用装着部５５３と、裏カバー本体５５１の表側端部に設けられ且つ表カバー５７の裏カバー用装着部５７３に係合する表カバー用装着部５５５とを有する。
内カバー用装着部５５３は内カバー５１との装着に係合構造を利用し、例えば、外カバー５３の相対的な回転により、内カバー用装着部５５３と内カバー５１の外カバー用装着部５１５とが係合する。なお、内カバー用装着部５５３は周方向に間隔をおいて複数個（例えば４個）ある。
表カバー用装着部５５５は表カバー５７との装着に係合構造を利用し、例えば、裏カバー５５に対して表カバー５７を近接方向に押圧することにより、表カバー５７の裏カバー用装着部５７３と裏カバー５５の表カバー用装着部５５５とが係合する。表カバー用装着部５５５は周方向に間隔をおいて複数個（例えば８個）ある。
【００３３】
表カバー５７は、表側から見たときに円形状で且つ全体としてドーム状をするドーム部５７１と、ドーム部５７１の開口側に設けられた筒部５７２と、筒部５７２に設けられた裏カバー用装着部５７３とを有する。
裏カバー用装着部５７３は、周方向に間隔をおいて複数個（例えば８個）あり、上記のように裏カバー５５の表カバー用装着部５５５に係合する。
【００３４】
３．取付ユニット
主に、図１０及び図１１を用いて説明する。
取付ユニット６は、設置面に取り付けられる取付板７と、設置面側から小径部（８１）と大径部（８３）とをこの順で有し且つ取付板７に設けられる係止具８とを備える。
係止具８の大径部（８３）は、器具本体１の被取付部３２の孔部３２４の大孔部３２４ａから挿入して小孔部３２４ｂの周囲に係止する（図８参照）。これにより、器具本体１が取付ユニット６に装着される。
ここでの係止具８は、少なくとも頭部８１１とねじ部８１３とを有する雄ねじ８１と、ねじ部８１３に螺合する雌ねじ８３とからなる。上記の小径部は、雄ねじ８１の頭部８１１と雌ねじ８３との間に位置するねじ部（８１３）により構成され、上記の大径部は雌ねじ８３により構成される。
ここでの雄ねじ８１は絶縁部材８５を介して取付板７に収容される。取付ユニット６は、設置面と取付板７との絶縁性を確保するための絶縁シート９を備えてもよい。
以下、各部について説明する。
【００３５】
（１）取付板
取付板７は、例えば金属板により構成され、平板部７１とリブ部７３とを有する。これにより十分な構造的強度特性を得ることができる。
取付板７は、雄ねじ８１のねじ部８１３が挿通し且つ頭部８１１を設置面との間に収容する収容部７５を有する。
【００３６】
（１−１）平板部
平板部７１は、貫通孔７１１を中央に有する円形部分７１３と、円形部分７１３から円形部分７１３の径方向に延伸する複数個の延伸部分７１５、７１７とを有する。なお、円形部分７１３は貫通孔７１１を含めて円環状部分とも言える。
円形部分７１３の貫通孔７１１には、図１及び図２に示すように、器具本体１（被取付部３２）の突出部分３２５が嵌合する。これにより、取付ユニット６に対して器具本体１が位置決めされる。なお、図１及び図２の（ｂ）では、絶縁シート９のため円形部分７１３は現れていない。
円形部分７１３は、図１０及び図１１に示すように、貫通孔７１１を挟んだ位置に、表側に凹入部分を有する。凹入部分は上記の収容部７５を構成する。ここでの凹入部分は２個ある。２個の凹入部分は、円形部分７１３の中心を通り且つ２つの延伸部分７１５，７１７の延伸方向と直交する部位にある。凹入部分は、有底筒状に凹入し且つ底部分７５１ａに貫通孔７５１ｂを有している。なお、凹入部分（収容部７５）は、表側に移るにしたがって開口面積が小さくなる、所謂、先細り状に構成されている。つまり、凹入部分の筒部分７５１ｃは傾斜面となっている。
円形部分７１３は、延伸部分７１５，７１７と貫通孔７１１との間に、長孔７５１ｄ，７５１ｅを有している。延伸部分７１５側の長孔７５１ｄは径方向に延伸している。延伸部分７１７側の長孔７５１ｅは径方向と直交する方向に延伸している。これにより、取付板７の設置面への取り付けの自由度を高めることができる。
【００３７】
ここでの延伸部分７１５，７１７は、円形部分７１３の中心を挟んで２個ある。換言すると、２つの延伸部分７１５，７１７は、円形部分７１３の中心を通り且つ２つの貫通孔７５１ｂの中心同士を結ぶ仮想線分と直交する仮想線分上に位置する。なお、２つの延伸部分７１５，７１７の貫通孔７１１の中心からの長さは同じである。
一方の延伸部分７１５は、延伸方向と直交する方向に長い第１長孔７１５ａを１個以上有する。ここでは２個平行に有する。他方の延伸部分７１７は、延伸方向と平行な方向に長い第２長孔７１７ａを１個以上有する。ここでは１個有する。これにより、取付板７の設置面へ取り付けの自由度を高めることができる。延伸部分７１５の第１長孔７１５ａは円形部分７１３の長孔７５１ｄと直交する方向に形成されている。延伸部分７１７の第２長孔７１７ａは円形部分７５１の長孔７５１ｅと直交する方向に形成されている。これにより、長孔７５１ｄ，７５１ｅ、第１長孔７１５ａ及び第２長孔７１７ａを利用してねじ等で取付板７を設置面に取り付ける際にも、ねじの設ける位置の自由度が高く、種々の設置面に対応して取り付けすることができる。
延伸部分７１５は、第１長孔７１５ａ以外に貫通孔７１５ｂを１個以上有する。延伸部分７１７は、第２長孔７１７ａ以外に貫通孔７１７ｂを１個以上有する。これにより、取付板７を設置面に強固に取り付けることができる。
【００３８】
（１−２）リブ部
リブ部７３は、平板部７１における周縁であって延伸部分７１５，７１７の延伸方向の端縁を除く領域から設置面と反対側に屈曲する。これにより、平板部７１を構造的に補強できる。
リブ部７３は、円形部分７１３の周縁に設けられた円形側部分７３１と、延伸部分７１５，７１７の延伸方向と平行な端縁に設けられた延伸側部分７３３，７３５とを有する。延伸側部分７３３，７３５の表側への延伸量は、円形側部分７３１の表側への延伸量よりも小さい。
【００３９】
（２）係止具
係止具８は、上記のように、雄ねじ８１と雌ねじ８３とからなる。
雄ねじ８１の頭部８１１の形状は六角形状をしている。
雌ねじ８３は、外周面を持って人の手で回転させることができるタイプであり、工具を必要とせずに、容易に器具本体１を取付板７に取り付けることができる。雌ねじ８３は、表端面にドライバーと嵌合する溝を有している。これにより、係止具８の操作がドライバー等の一般の工具により行うことができ、特別な工具等を必要とせずに、容易に器具本体１を取付板７に取り付けることができる。雌ねじ８３として、例えば、すり割り付きナットを利用できる。
雄ねじ８１は、ねじ部８１３が平板部７１の貫通孔７５１ｂを挿通し、頭部８１１が収容部７５に収容される。雄ねじ８１は絶縁部材８５を介して取付板７と接触しないように収容される。
【００４０】
（３）絶縁部材
絶縁部材８５は、頭部８５１と胴部８５３とを有し、頭部８５１と胴部８５３とを直線状に貫通する貫通孔８５５が設けられている。
頭部８５１の外観は裏側拡がりの円錐台状をし、図１１に示すように、雄ねじ８１の頭部８１１が嵌合する凹入部分８５１ａを有する。凹入部分８５１ａは、裏側から見ると、雄ねじ８１の頭部８１１と同じ形状である６角形状をしている。これにより、雄ねじ８１が絶縁部材８５に対して回転規制される。
胴部８５３は収容部７５の貫通孔７５１ｂを挿通する。胴部８５３の横断面形状は、収容部７５の貫通孔７５１ｂの形状に対応しており、ここでは、非円形に構成されている。これにより、絶縁部材８５が収容部７５に対して回転規制される。なお、ここでの非円形は、胴部８５３及び貫通孔７５１ｂとも長円に似た形状である。
胴部８５３は、収容部７５に収容された状態において、その表側端が貫通孔７５１ｂから延出するように構成されている。これにより、絶縁部材８５内を挿通する雄ねじ８１のねじ部８１３が、取付板７の貫通孔７５１ｂと接触することはなく、雄ねじ８１を金属材料で構成しても絶縁性を確保できる。
【００４１】
（４）絶縁シート
絶縁シート９は取付板７と設置面との間に配される。これにより、取付板７を金属材料で構成しても、設置面側との絶縁性を高めることができる。
絶縁シート９は樹脂材料により構成されている。絶縁シート９は、シート本体９１により構成され、シート本体９１に複数の貫通孔が設けられている。絶縁シート９は取付板７を裏側から覆う大きさをしている。絶縁シート９は、取付板７を裏側からみた形状と一致又は略同じ形状をしている。具体的には、シート本体９１は、取付板７の円形部分７１３に対応する円形部９１１と、延伸部分７１５，７１７に対応する延伸部９１３，９１５とを一体で有する。
絶縁シート９は、器具本体１への電力供給用ケーブルが挿通するための貫通孔９３を、取付板７の貫通孔７１１に対応させて有している。つまり、絶縁シート９は円形部９１１の中心に貫通孔９３を有する。貫通孔９３は、取付板７の貫通孔７１１よりも小さく構成されている。これにより、電力供給用ケーブルが取付板７の貫通孔７１１に接触し難くできる。
【００４２】
絶縁シート９は、取付板７を設置面に取り付ける際のねじ等が挿通するための貫通孔を、取付板７の貫通孔に対応して１個以上有する。
円形部９１１では、取付板７の円形部分７１３の長孔７５１ｄに対応して長孔９１１ｄが、長孔７５１ｅに対応して長孔９１１ｅがそれぞれ設けられている。
延伸部９１３では、取付板７の延伸部分７１５の第１長孔７１５ａに対応して第１長孔９１３ａが、貫通孔７１５ｂに対応して貫通孔９１３ｂがそれぞれ設けられている。
延伸部９１５では、取付板７の延伸部分７１７の第２長孔７１７ａに対応して第２長孔９１５ａが、貫通孔７１７ｂに対応して貫通孔９１５ｂがそれぞれ設けられている。
なお、絶縁シート９は、取付板７に収容される係止具８の雄ねじ８１に対応する部分には貫通孔を有しておらず、雄ねじ８１の頭部８１１を裏側から絶縁シート９が覆う（図１参照）。これにより、雄ねじ８１を金属材料で構成しても絶縁性を確保できる。雄ねじ８１との絶縁性を高めるという観点では、絶縁シート又は絶縁シートに相当する部材を雄ねじ８１を覆うように設けてもよい。つまり、絶縁シートは少なくとも雄ねじ８１を覆う大きさであればよい。
【００４３】
４．器具本体の取り付けユニットへの取り付け
（１）取付板の設置面への取り付け
（１−１）取付板７に係止具８を取り付ける。具体的には、絶縁部材８５を取付板７の収容部７５に収容し、係止具８の雄ねじ８１のねじ部８１３を絶縁部材８５の貫通孔８５５及び収容部７５の貫通孔７５１ｂを挿通させて、頭部８１１を収容部７５（絶縁部材８５の凹入部分８５１ａ）に収容する。その後、ねじ部８１３に雌ねじ８３を螺合させる。
（１−２）絶縁シート９を取付板７の裏面に設ける。例えば、両面テープを利用して、絶縁シート９を取付板７に貼り付ける。なお、貼り付ける際、取付板７の貫通孔と絶縁シート９の貫通孔とを対応（位置合わせ）させておく。
（１−３）絶縁シート９付きの取付板７をねじ等により設置面に固定する。この際、電力供給用ケーブルを、絶縁シート９の貫通孔９３及び取付板７の貫通孔７１１とから表側に導出しておく。
ねじ等による固定の際に、絶縁シート９の第１長孔９１３ａ、第２長孔９１５ａ及び取付板７の第１長孔７１５ａ、第２長孔７１７ａを利用できるため、設置面への取り付けの自由度があり、取り付け作業が容易となる。
【００４４】
（２）取付ユニットへの器具本体の装着
取付ユニット６の係止具８の雌ねじ（大径部）８３を、器具本体１のベース３の被取付部３２の大孔部３２４ａから挿入させる。この際、器具本体１の被取付部３２は透明性の高い樹脂材料に構成されているため、器具本体１の表側から、取付ユニット６の係止具８の位置を確認でき、挿入作業が容易となる。
次に、挿入された状態で、器具本体１をベース３の中心軸廻りを第１方向に回転させる。これにより、小孔部３２４ｂの周囲に雌ねじ（大径部）８３が係合して、器具本体１が取付ユニット６に装着される。
この際、取付ユニット６のリブ部７３の表側先端が電源ケース４８における凹入部分４８３と当接するため、器具本体１の取付ユニット６への取り付け部分の表裏方向の寸法を、引掛けシーリングとアダプタとの取り付け部分の寸法よりも小さくできる。
【００４５】
（３）器具本体の固定
器具本体１が取付ユニット６に装着された状態、つまり、被取付部３２の小孔部３２４ｂに係止具８の雌ねじ（大径部）８３が係止する状態で、雌ねじ８３を締め付け方向に回転させる。これにより、被取付部３２の小孔部３２４ｂの周辺部（蓋部分）が、絶縁部材８５と雌ねじ８３とで挟持され、器具本体１が固定される。
【００４６】
５．照明装置の絶縁性
（１）器具本体１において、取付板７と接触する又は近接する部材は、ベース３の被取付部３２及び電源カバー４８である。被取付部３２及び電源カバー４８は樹脂材料により構成されているため、取付板７を金属材料で構成した場合であっても、絶縁性を高めることができる。
【００４７】
（２）器具本体１を係止する係止具８を構成する雄ねじ８１及び雌ねじ８３は、雄ねじ８１が絶縁部材８５を介して、取付板７と接触しない状態で取付板７の収容部７５に収容される。このため、取付板７、雄ねじ８１及び雌ねじ８３を金属材料で構成した場合であって、絶縁性を高めることができる。
さらに、雄ねじ８１は絶縁シート９で覆われるため、雄ねじ８１が設置面と接触することがなく、設置面に導電性部材が存在する場合であっても、絶縁性を高めることができる。
【００４８】
（３）商用電源に接続された電力供給用ケーブルは、絶縁シート９の貫通孔９３から器具本体１の被取付部３２の突出部分３２５の内部を通り、被取付部３２の表側の接続端子台４３に接続される。樹脂材料により構成された被取付部３２の突出部分３２５は、取付板７の貫通孔７１１の内部に位置すると共に貫通孔７１１の周縁に接触しないように構成されている。このため、電力供給用ケーブルは取付板７と接触することはなく、電力供給用ケーブルとの絶縁性を高めることができる。
【００４９】
（４）電力供給用ケーブルは、樹脂製の被取付部３２の表側に設けられた接続端子台４３に接続される。このため、電力供給用ケーブルが取付板７やベース本体３０と接触することがなく、絶縁性を高めることができる。
【００５０】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していていない例や、要旨を逸脱しない範囲の設計変更があっても本発明に含まれる。
【００５１】
＜変形例＞
１．取付ユニットへの器具本体の装着
実施形態では、器具本体１を取付ユニット６に対して回転させることで、器具本体１を取付ユニット６に装着している。つまり、小孔部３２４ｂは、大孔部３２４ａから回転方向に沿って延伸している。
しかしながら、大径部を大孔部から挿入した状態で器具本体をスライドさせることで、大径部を小孔部の周囲に係止できればよく、実施形態のように周方向にスライド（回転）させてもよいし、直線方向にスライドさせてもよい。直線方向にスライドさせる場合、小孔部を大孔部から直線状に延伸させることで実施できる。
【００５２】
２．器具本体
（１）全体
器具本体１は、表側から見ると円形状をしていたが、例えば、方形状、矩形所、楕円状であってもよい。
器具本体１は、光源ユニット２、ベース３、電源ユニット４及びカバー体５を備えていたが、器具本体１と取付ユニット６との取り付け構造を発明とする場合には、器具本体は、少なくとも被取付具に相当する部材を備えればよく、実施形態で説明した器具本体の構成と異なってもよい。
また、器具本体１と取付ユニット６と電力供給用ケーブルとの間の絶縁構造を発明とする場合は、器具本体は、少なくとも、被取付具に相当する部材と、電源ユニット（特に接続端子台）とを備えればよく、実施形態で説明した器具本体の構成と異なってもよい。
【００５３】
（２）光源ユニット
実施形態では、３枚の光源基板２３をジャンパー線２７で接続しているが、例えば、１枚の光源基板を利用してもよい。この場合、円環状に構成してもよいし、４角環状等の多角環状に構成してもよい。
また、ジャンパー線２７に変えて、例えば、コネクタを電源基板に設け、両端にコネクタを有するリード線で接続するようにしてもよい。
実施形態では、電源ユニットとコネクタを介して接続しているが、例えば、電源基板又は光源基板の一方にピンタイプの雄型のコネクタを設け、電源基板又は光源基板の他方に雌型のコネクタを設け、ベースを挟んで直接接続してもよい。
【００５４】
（３）ベース
実施形態では、金属製のベース本体３０と、樹脂製の被取付部（被取付具）３２とは一体成形により一体化されているが、例えば、ベース本体３０と被取付具とを別体で準備した後に組み立てにより一体化してもよい。また、被取付具はベースを利用しているが、例えば、電源カバーに被取付部を設けて電源カバーとしてもよい。
【００５５】
（４）電源ユニット
実施形態では、電源ユニット４をベース３の裏面に備えているが、表面に備えてもよいし、ベース３の両面に備えてもよい。両面に備える場合、例えば、交流から直流に変換する変換回路を裏側に、調光回路又は調色回路を表側にそれぞれ配してもよい。
実施形態では、電源ユニットを備えていたが、例えば、点灯電力が直接供給されるような（例えば電源回路が設置面の裏側に配されている）場合、電源ユニットを備える必要はない。電源ユニット４を備えない場合であっても、ベース３の被取付部３２が存在するため、取付ユニット６への装着は可能である。
アース線４４ｂは、ベース３にエビナット３６を介して接続されているが、ブラインドファスナーを利用して直接接続されてもよいし、半田等で接続されてもよい。
また、取付板７に対してバーリング加工をおこなって、アース線４４ｂを取付板７に接続してもよい。
【００５６】
実施形態の電源カバー４８は、取付ユニット６のリブ部７３の表側先端と当接する部分に凹入部分４８３を有していたが、凹入していなくてもよい。但し、凹入している方が、器具本体１の取付ユニット６への取り付け部分の表裏方向の寸法を小さくできる。なお、取付ユニット６のリブ部７３の表側先端と当接する部材は、電源カバーであってもよいし、電源カバー以外の部材であってもよい。電源ユニット４を備えない又は電源ユニットをベースの表側に備える照明装置の場合、取付ユニット６のリブ部７３の表側先端と当接する部材はベースであってもよく、その場合、被取付部であってもよいし、環状部であってもよい。
【００５７】
（５）カバー体
実施形態では、内カバー５１と外カバー５３とを備え、内カバー５１はベース３に固定されている。しかしながら、外カバーをベースに固定して内カバー５１を備えない構造としてもよい。外カバーをベースに固定するには、例えば、外カバーを表カバー５７のような形状であってその被取付部３２の表側部分が開口するような環形状にし、裏側端をベースに固定するようにすればよい。
【００５８】
３．取付ユニット
（１）取付板
実施形態では、取付板７は２個の延伸部分７１５，７１７を有していたが、３個以上の延伸部分を有してもよい。３個以上の延伸部を有する場合、周方向に等間隔をおいて有するのが好ましい。
２つの延伸部分７１５，７１７は、貫通孔７１１の中心からの長さが同じであるが、同じでなくてもよい。
取付板７は、金属材料で構成されていたが、例えば、金属板の表裏面に絶縁層を設けてもよいし、樹脂材料で金属板の全面を被覆してもよい。
取付板７の収容部（係止具８）７５は２個であったが、３個以上であってもよい。３個以上の場合、周方向に等間隔をおいて有するのが好ましい。
【００５９】
（２）係止具・絶縁シート
係止具８は雄ねじ８１と雌ねじ８３とを利用し、雄ねじ８１が取付板に収容されているが、例えば、雌ねじが取付板に収容されてもよい。この場合、雄ねじの頭部は大径部として機能する。
実施形態では、絶縁シートはシート状をしているが、剛性のある板状であってもよい。
【符号の説明】
【００６０】
Ｘ    照明装置
１    器具本体
２    光源ユニット
３    ベース（被取付具）
４    電源ユニット
５    カバー体
６    取付ユニット
７    取付板
８    係止具
９    絶縁シート
３２    被取付部
８３    大径部（雌ねじ）
３２４    孔部
３２４ａ  大孔部
３２４ｂ  小孔部
８１３    小径部（ねじ部）
【図１】
2020187848.tif 000003
【図２】
2020187848.tif 000004
【図３】
2020187848.tif 000005
【図４】
2020187848.tif 000006
【図５】
2020187848.tif 000007
【図６】
2020187848.tif 000008
【図７】
2020187848.tif 000009
【図８】
2020187848.tif 000010
【図９】
2020187848.tif 000011
【図１０】
2020187848.tif 000012
【図１１】
2020187848.tif 000013